(57)【要約】【課題】冷媒がレシーバに流入する際の騒音を抑制する熱交換器を提供する。【解決手段】室外熱交換器１３は、流入口（Ａ１／Ａ２）から流入した冷媒が２回折り返した後に流出口（Ａ２／Ａ１）から流出するように冷媒の流路を形成され、複数の伝熱管４５を含む熱交換部４０と、伝熱管４５から流出した冷媒を折り返して他の伝熱管４５に流入させる折返し流路ＲＰを形成するヘッダ集合管５０（５１、５２）と、レシーバ６０と、を備える。ヘッダ集合管５０は、熱交換部４０における冷媒流路の容積の５０％以上を流れた冷媒を折り返す下流側折返し流路ＲＰ（ＲＰ２、ＲＰ３、ＲＰ５）を形成する下流側折返し部（５１２、５１３、５５２）を含む。レシーバ６０の冷媒貯留空間６０ａは、下流側折返し流路ＲＰに液冷媒が溜まった時に冷媒貯留空間６０ａに液冷媒が流入するように下流側折返し流路ＲＰ（ＲＰ２）と連通している。【選択図】図５
2017219216.tif 000002
【特許請求の範囲】
【請求項１】
流入口（Ａ１／Ａ２）から流入した冷媒が複数回折り返した後に流出口（Ａ２／Ａ１）から流出するように冷媒の流路（４５１、ＲＰ）を形成された熱交換器（１３）において、
所定の扁平管延伸方向（ｘ）に沿って延びるとともに所定の扁平管積層方向（ｙ）に沿って並べられた複数の扁平管（４５）を含む本体部（４０）と、
前記本体部の前記扁平管延伸方向の一端に配置され、複数の前記扁平管の一端と連通し、前記扁平管の一端から流出した冷媒を折り返して他の前記扁平管の一端に流入させる折返し流路（ＲＰ）を形成する折返し部（５０）と、
液冷媒を溜める貯留空間（６０ａ）を形成する液溜め部（６０）と、を備え、
前記折返し部は、前記本体部において各前記扁平管によって形成される冷媒流路（４５１）の流路容積の５０％以上を流れた冷媒を折り返す前記折返し流路である下流側折返し流路（ＲＰ２、ＲＰ３、ＲＰ５）を形成する下流側折返し部（５１２、５１３、５５２）を含み、
前記貯留空間は、前記下流側折返し流路に液冷媒が溜まった時に前記貯留空間に液冷媒が流入するように、前記下流側折返し流路と連通している、
熱交換器（１３、１３ａ）。
【請求項２】
前記貯留空間は、前記下流側折返し部の下端近傍部分において前記下流側折返し流路と連通している、
請求項１に記載の熱交換器（１３、１３ａ）。
【請求項３】
前記貯留空間は、複数の連通空間（ＣＰ１、ＣＰ２）を介して前記下流側折返し流路と連通している、
請求項１又は２に記載の熱交換器（１３、１３ａ）。
【発明の詳細な説明】
【技術分野】
【０００１】
本発明は、熱交換器に関する。
【背景技術】
【０００２】
従来、冷媒系統に充填されている冷媒量に関連して、運転状況に応じて冷媒を貯留するレシーバを配置された熱交換器が知られている。例えば特許文献１（特許第３３５５８４４号公報）には、扁平管群に接続されるヘッダに隣接して配置されヘッダ内の空間と連通するレシーバを有するレシーバ一体型熱交換器が開示されている。
【発明の概要】
【発明が解決しようとする課題】
【０００３】
ここで、特許文献１のような従来の熱交換器では、一の扁平管を通過してヘッダ内に流入した冷媒が折り返して他の扁平管に流入する際に必ずレシーバを通過する構造となっている。このため、流速の大きい冷媒がレシーバに流入する際には騒音が生じることが想定される。
【０００４】
そこで、本発明の課題は、冷媒がレシーバに流入する際の騒音を抑制する熱交換器を提供することである。
【課題を解決するための手段】
【０００５】
本発明の第１観点に係る熱交換器は、流入口から流入した冷媒が複数回折り返した後に流出口から流出するように冷媒の流路を形成された熱交換器において、本体部と、折返し部と、液溜め部と、を備える。本体部は、複数の扁平管を含む。複数の扁平管は、所定の扁平管延伸方向に沿って延びる。複数の扁平管は、所定の扁平管積層方向に沿って並べられる。折返し部は、本体部の扁平管延伸方向の一端に配置される。折返し部は、複数の扁平管の一端と連通する。折返し部は、折返し流路を形成する。折返し流路は、扁平管の一端から流出した冷媒を、折り返して他の扁平管の一端に流入させる。液溜め部は、貯留空間を形成する。貯留空間は、液冷媒を溜める空間である。折返し部は、下流側折返し部を含む。下流側折返し部は、下流側折返し流路を形成する。下流側折返し流路は、本体部において各扁平管によって形成される冷媒流路の流路容積の５０％以上を流れた冷媒を折り返す折返し流路である。貯留空間は、下流側折返し流路に液冷媒が溜まった時に貯留空間に液冷媒が流入するように、下流側折返し流路と連通している。
【０００６】
本発明の第１観点に係る熱交換器では、本体部において各扁平管によって形成される冷媒流路の流路容積の５０％以上を流れた冷媒、を折り返す下流側折返し流路に液冷媒が溜まった時に、貯留空間に液冷媒が流入するように下流側折返し流路と連通している。これにより、冷媒が２回以上折り返して流れる熱交換器において、後半の冷媒流路（すなわち、流出口に近い冷媒流路）がレシーバ内の貯留空間と連通するように熱交換器が構成される。その結果、折返し部に流入した冷媒が必ずしもレシーバ内の貯留空間に流入しなくなる。すなわち、通常時は一の扁平管を通過した冷媒に関し、レシーバに流入させることなく他の扁平管に流入させる一方で、下流側折返し流路において液冷媒が溜まった時に当該液冷媒を貯留空間へ流入させるように熱交換器を構成することが可能となる。つまり、一の扁平管を通過して折返し流路に流入した冷媒が、通常、レシーバに流入することなく冷媒流れ下流側に位置する他の扁平管へと流入する（すなわち、レシーバをバイパスする）ように熱交換器を構成することが可能となる。このため、流速の大きい冷媒がレシーバへ流入することが抑制される。よって、冷媒がレシーバに流入する際の騒音が抑制される。
【０００７】
また、第１観点に係る熱交換器では、レシーバに流入する冷媒は、冷媒が２回以上折り返して流れる熱交換器の本体部において、冷媒流路の流路容積の５０％以上を流れた後にレシーバに流入する。その結果、本体部において熱交換（凝縮）した冷媒を主として、レシーバに流入させることが可能となる。よって、熱交換器の性能低下についても抑制される。
【０００８】
なお、ここでの折返し部は、折返し流路を形成するものであれば、特に限定されないが、例えば扁平管積層方向に沿って延びるヘッダ集合管である。
【０００９】
本発明の第２観点に係る熱交換器は、第１観点に係る熱交換器であって、貯留空間は、下流側折返し部の下端近傍部分において、下流側折返し流路と連通している。
【００１０】
これにより、熱交換器における冷媒の流出口近傍において折返し流路とレシーバの貯留空間とを連通させることが可能となる。その結果、冷媒が本体部において十分に熱交換（凝縮）した後に、レシーバに冷媒を流入させることが可能となる。このため、流速の大きい冷媒がレシーバに流入することで生じる騒音が特に抑制される。
【００１１】
また、本体部において十分に熱交換（凝縮）した冷媒を主として、レシーバに流入させることが可能となる。よって、熱交換器の性能低下についても特に抑制される。
【００１２】
本発明の第３観点に係る熱交換器は、第１観点又は第２観点に係る熱交換器であって、貯留空間は、複数の連通空間を介して下流側折返し流路と連通している。
【００１３】
これにより、レシーバに冷媒を流入させる流入口とは別に、レシーバから冷媒を排出させるための抜き穴を形成することが可能となる。その結果、レシーバへの冷媒の流入、及びレシーバからの冷媒若しくは冷凍機油の流出が円滑に行われる。よって、熱交換器の性能低下がさらに抑制される。また、これに関連して、圧縮機において、液冷媒が流入し圧縮される液バック現象が抑制され、潤滑性低下が抑制され、冷媒が過度に高圧となることも抑制される。すなわち、圧縮機の信頼性低下も抑制される。
【発明の効果】
【００１４】
本発明の第１観点に係る熱交換器では、通常時は一の扁平管を通過した冷媒に関し、レシーバに流入させることなく他の扁平管に流入させる一方で、下流側折返し流路において液冷媒が溜まった時に当該液冷媒を貯留空間へ流入させるように熱交換器を構成することが可能となる。つまり、一の扁平管を通過して折返し流路に流入した冷媒が、通常、レシーバに流入することなく冷媒流れ下流側に位置する他の扁平管へと流入するように熱交換器を構成することが可能となる。このため、流速の大きい冷媒がレシーバへ流入することが抑制される。よって、冷媒がレシーバに流入する際の騒音が抑制される。また、本体部において熱交換（凝縮）した冷媒を主として、レシーバに流入させることが可能となる。よって、熱交換器の性能低下についても抑制される。
【００１５】
本発明の第２観点に係る熱交換器では、熱交換器における冷媒の流出口近傍において折返し流路とレシーバの貯留空間とを連通させることが可能となる。その結果、冷媒が本体部において十分に熱交換（凝縮）した後に、レシーバに冷媒を流入させることが可能となる。このため、流速の大きい冷媒がレシーバに流入することで生じる騒音が特に抑制される。また、本体部において十分に熱交換（凝縮）した冷媒を主として、レシーバに流入させることが可能となる。よって、熱交換器の性能低下についても特に抑制される。
【００１６】
本発明の第３観点に係る熱交換器では、レシーバに冷媒を流入させる流入口とは別に、レシーバから冷媒を排出させるための抜き穴を形成することが可能となる。その結果、レシーバへの冷媒の流入、及びレシーバからの冷媒若しくは冷凍機油の流出が円滑に行われる。よって、熱交換器の性能低下がさらに抑制される。また、圧縮機の信頼性低下が抑制される。
【図面の簡単な説明】
【００１７】
【図１】空調システムの概略構成図。
【図２】室外熱交換器を概略的に示した模式図。
【図３】熱交換部の拡大斜視図。
【図４】図２のIV-IV線断面の一部を示した模式図。
【図５】冷房運転時の室外熱交換器における冷媒の流れを概略的に示した模式図。
【図６】暖房運転時の室外熱交換器における冷媒の流れを概略的に示した模式図。
【図７】従来の熱交換器の一例を示した模式図。
【図８】変形例Ａに係る室外熱交換器を概略的に示した模式図。
【発明を実施するための形態】
【００１８】
以下、本発明の一実施形態に係る室外熱交換器１３について説明する。なお、以下の実施形態は、本発明の具体例であって、本発明の技術的範囲を限定するものではなく、本発明の趣旨を逸脱しない範囲で適宜変更可能である。
【００１９】
本実施形態において、室外熱交換器１３は、空調システム１００に適用されている。以下、空調システム１００の概要について説明した後、室外熱交換器１３の詳細について説明する。
【００２０】
（１）空調システム１００
図１は、空調システム１００の概略構成図である。空調システム１００は、家屋等の屋内に含まれる対象空間（居住空間）において冷房や暖房等の空気調和を実現するシステムである。
【００２１】
空調システム１００は、冷媒回路ＲＣを含み、冷媒回路ＲＣにおいて冷媒を循環させて蒸気圧縮方式の冷凍サイクルを行うことにより、対象空間の冷房又は暖房を行う。空調システム１００は、主として、熱源ユニットとしての１台の室外ユニット１０と、利用ユニットとしての複数（ここでは３台）の室内ユニット３０（具体的には第１室内ユニット３０ａ、第２室内ユニット３０ｂ、第３室内ユニット３０ｃ）と、を備えている。
【００２２】
空調システム１００では、室外ユニット１０と、各室内ユニット３０と、がガス連絡配管ＧＰ及び液連絡配管ＬＰで個別に接続されることで冷媒回路ＲＣが構成されている。すなわち、空調システム１００は、同一の冷媒系統に複数の室内ユニット３０が接続された、いわゆるマルチタイプの空調システムである。冷媒回路ＲＣには、例えば、Ｒ３２やＲ４１０ＡのようなＨＦＣ冷媒が封入されている。なお、冷媒回路ＲＣにおいては、ＨＦＣ冷媒以外の冷媒が封入されていてもよい。
【００２３】
（１−１）室外ユニット１０
室外ユニット１０は、室外（対象空間外）に設置される。室外ユニット１０は、主として、複数の冷媒配管（第１配管Ｐ１―第５配管Ｐ５）と、圧縮機１１と、四路切換弁１２と、室外熱交換器１３と、複数の膨張弁１６（第１膨張弁１６ａ、第２膨張弁１６ｂ及び第３膨張弁１６ｃ）と、室外ファン１７と、室外ユニット制御部１８と、を有している。
【００２４】
第１配管Ｐ１は、ガス連絡配管ＧＰと四路切換弁１２とを接続する冷媒配管である。第１配管Ｐ１は、一端が四路切換弁１２の１つのポートと接続されており、他端側において室内ユニット３０の数に応じて（ここでは３つに）分岐し各室内ユニット３０まで延びるガス連絡配管ＧＰと個別に接続されている。
【００２５】
第２配管Ｐ２は、四路切換弁１２と圧縮機１１の吸入ポート（図示省略）とを接続する吸入配管である。第３配管Ｐ３は、圧縮機１１の吐出ポート（図示省略）と四路切換弁１２とを接続する吐出配管である。第４配管Ｐ４は、四路切換弁１２と室外熱交換器１３のガス側とを接続する冷媒配管である。
【００２６】
第５配管Ｐ５は、室外熱交換器１３の液側と各膨張弁１６とを接続する冷媒配管である。より詳細には、第５配管Ｐ５は、一端が室外熱交換器１３の液側と接続されており、他端側において膨張弁１６の数に応じて（ここでは３つに）分岐し各膨張弁１６と個別に接続されている。
【００２７】
圧縮機１１は、低圧のガス冷媒を吸入し、圧縮して吐出する機構である。圧縮機１１は、圧縮機モータ１１ａを内蔵された密閉式の構造を有している。圧縮機１１では、圧縮機ケーシング（図示省略）内に収容されたロータリ式やスクロール式等の圧縮要素（図示省略）が、圧縮機モータ１１ａを駆動源として駆動される。圧縮機モータ１１ａは、運転中、インバータ制御され、状況に応じて回転数を調整される。圧縮機１１は、駆動時に、吸入ポートから冷媒を吸入し、圧縮後、吐出ポートから吐出する。
【００２８】
四路切換弁１２は、冷媒回路ＲＣにおいて冷媒の流れる方向を切り換えるための切換弁である。四路切換弁１２は、第１配管Ｐ１、第２配管Ｐ２、第３配管Ｐ３及び第４配管Ｐ４と個別に接続されている。四路切換弁１２は、冷房運転時には、第１配管Ｐ１と第２配管Ｐ２とが接続されるとともに、第３配管Ｐ３と第４配管Ｐ４とが接続されるように、流路を切り換える（図１の四路切換弁１２の実線を参照）。また、四路切換弁１２は、暖房運転時には、第１配管Ｐ１と第３配管Ｐ３とが接続されるとともに、第２配管Ｐ２と第４配管Ｐ４とが接続されるように、流路を切り換える（図１の四路切換弁１２の破線を参照）。
【００２９】
室外熱交換器１３は、冷房運転時には冷媒の凝縮器として機能し、暖房運転時には冷媒の蒸発器として機能する熱交換器である。室外熱交換器１３は、冷媒が流れる伝熱管４５（図４等参照）と、伝熱面積を増大する伝熱フィン４６（図４等参照）と、を含む。室外熱交換器１３は、運転時において、伝熱管４５内の冷媒と、室外ファン１７によって生成される空気流ＡＦ（後述）と、が熱交換可能なように配置されている。室外熱交換器１３は、レシーバ６０（液溜め部）を含んでいる。すなわち、室外熱交換器１３は、レシーバ６０と一体に構成されたレシーバ一体型の熱交換器である。室外熱交換器１３の詳細については後述する。
【００３０】
膨張弁１６（減圧機構）は、開度調整が可能な電動弁である。膨張弁１６は、運転時には状況に応じて開度を適宜調整され、開度に応じて、冷媒を減圧する若しくは冷媒循環量を増減させる。各膨張弁１６は、いずれかの室内ユニット３０に対応しており、対応する室内ユニット３０の運転状況に応じて開度を適宜調整される。具体的に、第１膨張弁１６ａは、第１室内ユニット３０ａに対応しており、第１室内ユニット３０ａに接続される液連絡配管ＬＰと接続されている。第２膨張弁１６ｂは、第２室内ユニット３０ｂに対応しており、第２室内ユニット３０ｂに接続される液連絡配管ＬＰと接続されている。第３膨張弁１６ｃは、第３室内ユニット３０ｃに対応しており、第３室内ユニット３０ｃに接続される液連絡配管ＬＰと接続されている。
【００３１】
室外ファン１７は、例えばプロペラファンである。室外ファン１７は、室外ファンモータ１７ａの出力軸に接続されており、室外ファンモータ１７ａに連動して駆動する。室外ファン１７は、駆動すると、外部から室外ユニット１０内に流入し室外熱交換器１３を通過してから室外ユニット１０外へ流出する空気流ＡＦを生成する。
【００３２】
室外ユニット制御部１８は、ＣＰＵやメモリ等で構成されるマイクロコンピュータである。室外ユニット制御部１８は、室外ユニット１０における各アクチュエータの動作を制御する。室外ユニット制御部１８は、後述する各室内ユニット３０の室内ユニット制御部３５と、通信線ｃｂ１を介して接続されており、相互に信号の送受信を行う。
【００３３】
（１−２）室内ユニット３０
本実施形態において、各室内ユニット３０（３０ａ、３０ｂ、３０ｃ）は、対象空間の内壁や天井等に設置される。各室内ユニット３０は、室外ユニット１０とともに冷媒回路ＲＣを構成している。各室内ユニット３０は、主として、複数の冷媒配管（第１０配管Ｐ１０、第１１配管Ｐ１１）と、室内熱交換器３１と、室内ファン３３と、を有している。また、各室内ユニット３０は、室内ユニット制御部３５を有している。
【００３４】
第１０配管Ｐ１０は、液連絡配管ＬＰと室内熱交換器３１の液側とを接続する冷媒配管である。第１１配管Ｐ１１は、ガス連絡配管ＧＰと室内熱交換器３１のガス側とを接続する冷媒配管である。
【００３５】
室内熱交換器３１は、冷房運転時には冷媒の蒸発器として機能し、暖房運転時には冷媒の凝縮器として機能する熱交換器である。室内熱交換器３１は、例えば、伝熱管として円管を有するクロス・フィン・チューブ熱交換器である。室内熱交換器３１は、液側が液連絡配管ＬＰまで延びる第１０配管Ｐ１０に接続され、ガス側がガス連絡配管ＧＰまで延びる第１１配管Ｐ１１に接続されている。室内熱交換器３１は、運転時において、伝熱管内の冷媒と、室内ファン３３によって生成される空気流と、が熱交換可能なように配置されている。
【００３６】
室内ファン３３は、室内ファンモータに連動して駆動する。室内ファン３３は、駆動すると、室内ユニット３０内に吸い込まれて室内熱交換器３１を通過した後に対象空間へと吹き出される空気流を生成する送風機である。
【００３７】
室内ユニット制御部３５は、ＣＰＵやメモリ等で構成されるマイクロコンピュータである。室内ユニット制御部３５は、室内ユニット３０におけるアクチュエータ（例えば室内ファン３３等）の動作を制御する。室内ユニット制御部３５は、室外ユニット制御部１８と、通信線ｃｂ１を介して信号の送受信を行う。また、室内ユニット制御部３５は、図示しないリモコンと無線通信又は有線通信により信号の送受信を行う。
【００３８】
（２）空調システム１００の各運転
リモコンにおいて運転開始コマンドが入力され、冷房運転又は暖房運転が開始されると、四路切換弁１２が所定の状態に切り換えられ、圧縮機１１及び室外ファン１７が起動する。また、運転開始コマンドを入力されたリモコンに対応する室内ユニット３０（以下、「運転室内ユニット３０」と称する）が運転状態となる。冷房運転時及び暖房運転時においては、運転室内ユニット３０に対応する膨張弁１６の開度及び圧縮機１１の回転数が適宜調整されており、冷媒回路ＲＣを流れる冷媒が高循環量になる場合と、低循環量になる場合がある。運転室内ユニット３０以外の室内ユニット３０（すなわち、運転開始コマンドを入力されていない室内ユニット３０）に対応する膨張弁１６については最小開度に設定される。
【００３９】
（２−１）冷房運転
冷房運転時には、四路切換弁１２が冷房サイクル状態（図１の四路切換弁１２の実線で示された状態）に切り換えられる。係る状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、及び第４配管Ｐ４を通過して室外熱交換器１３に流入する。室外熱交換器１３に流入した冷媒は、室外ファン１７が生成する空気流ＡＦと熱交換して凝縮する。室外熱交換器１３において凝縮した液冷媒の一部は、レシーバ６０に流入する。レシーバ６０に流入した液冷媒は、レシーバ６０において飽和状態の液冷媒として一時的に溜められた後に、レシーバ６０の出口から流出して室外熱交換器１３の伝熱管４５に戻される。
【００４０】
室外熱交換器１３から流出した冷媒は、第５配管Ｐ５を通過して運転室内ユニット３０に対応する膨張弁１６に流入する。膨張弁１６に流入した冷媒は、膨張弁１６の開度に応じて減圧される。膨張弁１６から流出した冷媒は、液連絡配管ＬＰを通過して運転室内ユニット３０の室内熱交換器３１に流入する。すなわち、冷房運転時においては、膨張弁１６は、運転室内ユニット３０の冷媒流れの上流側に位置し、運転室内ユニット３０の室内熱交換器３１に流入する冷媒を減圧する。
【００４１】
運転室内ユニット３０の室内熱交換器３１に流入した冷媒は、室内ファン３３によって生成される空気流と熱交換して蒸発する。室内熱交換器３１から流出した冷媒は、ガス連絡配管ＧＰを通過して室外ユニット１０に流入する。
【００４２】
室外ユニット１０に流入した冷媒は、第１配管Ｐ１、四路切換弁１２、及び第２配管Ｐ２を通過して、再び圧縮機１１に吸入されて圧縮される。
【００４３】
（２−２）暖房運転
暖房運転時には、四路切換弁１２が暖房サイクル状態（図１の四路切換弁１２の破線で示された状態）に切り換えられる。係る状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、第１配管Ｐ１、及びガス連絡配管ＧＰを通過して運転室内ユニット３０に流入する。
【００４４】
運転室内ユニット３０に流入した冷媒は、室内熱交換器３１に流入し、室内ファン３３が生成する空気流と熱交換して凝縮する。室内熱交換器３１から流出した冷媒は、液連絡配管ＬＰを通過して室外ユニット１０に流入する。
【００４５】
室外ユニット１０に流入した冷媒は、運転室内ユニット３０に対応する膨張弁１６に流入し、膨張弁１６の開度に応じて減圧される。膨張弁１６から流出した冷媒は、第５配管Ｐ５を通過して室外熱交換器１３に流入する。室外熱交換器１３に流入した冷媒は、室外ファン１７によって生成される空気流ＡＦと熱交換して蒸発する。室外熱交換器１３から流出した冷媒は、第４配管Ｐ４、四路切換弁１２、及び第２配管Ｐ２を通過して、再び圧縮機１１に吸入されて圧縮される。
【００４６】
（３）室外熱交換器１３の詳細な構成
以下、室外熱交換器１３の詳細な構成について説明する。図２は、室外熱交換器１３を概略的に示した模式図である。なお、図２―図８において、ｘ方向は水平方向であり、伝熱管延伸方向（特許請求の範囲記載の「扁平管延伸方向」に相当）に対応する。また、図２―図８において、ｙ方向は鉛直方向であり、伝熱管積層方向（特許請求の範囲記載の「扁平管積層方向」に相当）に対応する。また、図２―図８において、ｚ方向は、ｘ方向に交差する水平方向であり、空気流ＡＦが流れる方向（空気流れ方向）である。
【００４７】
室外熱交換器１３は、主として、熱交換部４０と、複数（ここでは２つ）のヘッダ集合管５０と、レシーバ６０と、を有している。
【００４８】
（３−１）熱交換部４０（本体部）
図３は、熱交換部４０の拡大斜視図である。熱交換部４０は、通過する空気流ＡＦと冷媒とを熱交換させる部分である。熱交換部４０は、２つのヘッダ集合管５０の間において、空気流ＡＦの進行方向（すなわち空気流れ方向）に対して交差する方向に広がる領域であり、ｘ方向又はｙ方向に沿って延びている。本実施形態において、熱交換部４０は、主として、４つの熱交換領域４１（具体的には、第１熱交換領域４１ａ、第２熱交換領域４１ｂ、第３熱交換領域４１ｃ及び第４熱交換領域４１ｄ）に分けられる。
【００４９】
第１熱交換領域４１ａは、各熱交換領域４１のうち最上方に位置する。具体的に、第１熱交換領域４１ａは、図２において、熱交換部４０のうち二点鎖線Ｌ１よりも上方に位置する部分である。本実施形態において、第１熱交換領域４１ａは、７本の伝熱管４５を含んでいる。
【００５０】
第２熱交換領域４１ｂは、第１熱交換領域４１ａの下方に位置する。具体的に、第２熱交換領域４１ｂは、図２において、熱交換部４０のうち二点鎖線Ｌ１と二点鎖線Ｌ２の間に位置する部分である。本実施形態において、第２熱交換領域４１ｂは、５本の伝熱管４５を含んでいる。
【００５１】
第３熱交換領域４１ｃは、第２熱交換領域４１ｂの下方に位置する。具体的に、第３熱交換領域４１ｃは、図２において、熱交換部４０のうち二点鎖線Ｌ２と二点鎖線Ｌ３の間に位置する部分である。本実施形態において、第３熱交換領域４１ｃは、４本の伝熱管４５を含んでいる。
【００５２】
第４熱交換領域４１ｄは、第３熱交換領域４１ｃの下方に位置し、各熱交換領域４１のうち最下方に位置する。具体的に、第４熱交換領域４１ｄは、図２において、熱交換部４０のうち二点鎖線Ｌ３よりも下方に位置する部分である。本実施形態において、第４熱交換領域４１ｄは、２本の伝熱管４５を含んでいる。
【００５３】
熱交換部４０は、冷媒が流れる複数の伝熱管４５と、伝熱管４５内の冷媒と空気流ＡＦとの熱交換を促進させる複数の伝熱フィン４６と、を含んでいる。
【００５４】
（３−１−１）伝熱管４５
図４は、図２のIV-IV線断面の一部を示した模式図である。伝熱管４５は、扁平形状を呈し、内部に複数の冷媒流路４５１を形成されたいわゆる扁平多穴管である。伝熱管４５は、アルミニウム製若しくはアルミニウム合金製である。伝熱管４５は、伝熱管延伸方向（ｘ方向）に沿って延びている。各伝熱管４５は、熱交換部４０において、他の伝熱管４５とともに伝熱管積層方向（ここではｙ方向）に沿って間隔を空けて並べられている。
【００５５】
すなわち、熱交換部４０においては、空気流れ方向（ｚ方向）に交差する伝熱管延伸方向（ｘ方向）に沿って延びる複数の伝熱管４５が、同じく空気流れ方向に交差する伝熱管積層方向（ｙ方向）に沿って並べられるように配置されている。本実施形態においては、熱交換部４０において、第１熱交換領域４１ａにおいて７本の伝熱管４５が含まれ、第２熱交換領域４１ｂにおいて５本の伝熱管４５が含まれ、第３熱交換領域４１ｃにおいて４本の伝熱管４５が含まれ、第４熱交換領域４１ｄにおいて２本の伝熱管４５が含まれるように、１８本の伝熱管４５が伝熱管積層方向に沿って並べられている。
【００５６】
このような態様で各伝熱管４５が配置される室外熱交換器１３では、第１熱交換領域４１ａ及び第２熱交換領域４１ｂに含まれる伝熱管４５（冷媒流路４５１）によって構成される冷媒流路の容積は、熱交換部４０の全ての伝熱管４５によって構成される冷媒流路の容積の５０パーセント以上を占めている。
【００５７】
（３−１−２）伝熱フィン４６
伝熱フィン４６は、伝熱管４５と空気流ＡＦとの伝熱面積を増大させる平板状の部材である。伝熱フィン４６は、アルミニウム製もしくはアルミニウム合金製である。伝熱フィン４６は、熱交換部４０において、伝熱管４５に交差するように伝熱管積層方向（ｙ方向）に沿って延びている。伝熱フィン４６には、伝熱管積層方向に沿って複数のスリット４６１が間隔を空けて並べて形成されており、各スリット４６１に伝熱管４５が挿入されている。
【００５８】
各伝熱フィン４６は、熱交換部４０において、他の伝熱フィン４６とともに伝熱管延伸方向（ｘ方向）に沿って間隔を空けて並べられている。すなわち、熱交換部４０においては、伝熱管延伸方向に交差する伝熱管積層方向に沿って延びる伝熱フィン４６が、伝熱管延伸方向に沿って多数並ぶように配置されている。なお、熱交換部４０に含まれる伝熱フィン４６の数については、伝熱管４５の伝熱管延伸方向（ｘ方向）の長さ寸法に応じて選択され、設計仕様に応じて適宜選択、変更が可能である。
【００５９】
（３−２）ヘッダ集合管５０（折返し部）
室外熱交換器１３は、ヘッダ集合管５０として、第１ヘッダ集合管５１と、第２ヘッダ集合管５５と、を含んでいる。各ヘッダ集合管５０は、長手方向（ここでは伝熱管積層方向）に延びる筒状を呈している。各ヘッダ集合管５０は、各伝熱管４５の一端又は他端と接続されて冷媒流路４５１と連通している。各ヘッダ集合管５０は、内部が複数の空間に仕切られており、各空間において、流入した冷媒を折り返させる冷媒流路（折返し流路ＲＰ）を形成している。
【００６０】
（３−２−１）第１ヘッダ集合管５１
第１ヘッダ集合管５１は熱交換部４０の伝熱管延伸方向（ｘ方向）の一端に配置され、各伝熱管４５の一端に接続されている。第１ヘッダ集合管５１内には上仕切板５２及び下仕切板５３が上下に配置されることで、第１ヘッダ集合管５１内の空間が３つの空間（具体的には第１ヘッダ上空間５１ａ、第１ヘッダ中央空間５１ｂ及び第１ヘッダ下空間５１ｃ）に分割されている。本実施形態において、上仕切板５２は、二点鎖線Ｌ１（図２）と重畳するように配置され、第１ヘッダ上空間５１ａと第１ヘッダ中央空間５１ｂとを仕切っている。下仕切板５３は、二点鎖線Ｌ３と重畳するように配置され、第１ヘッダ中央空間５１ｂと第１ヘッダ下空間５１ｃとを仕切っている。
【００６１】
第１ヘッダ上空間５１ａ、第１ヘッダ中央空間５１ｂ及び第１ヘッダ下空間５１ｃは、対応する熱交換領域４１に含まれる伝熱管４５内の冷媒流路４５１と連通している。第１ヘッダ上空間５１ａは各空間のうち最上方に形成される空間であり、第１熱交換領域４１ａに対応している。第１ヘッダ中央空間５１ｂは第１ヘッダ上空間５１ａと第１ヘッダ下空間５１ｃの間に形成される空間であり、第２熱交換領域４１ｂ及び第３熱交換領域４１ｃに対応している。第１ヘッダ下空間５１ｃは各空間のうち最下方に形成される空間であり、第４熱交換領域４１ｄに対応している。
【００６２】
以下の説明においては、第１ヘッダ集合管５１のうち、第１ヘッダ上空間５１ａを構成する部分を第１ヘッダ上部５１１と称し、第１ヘッダ中央空間５１ｂを構成する部分を第１ヘッダ中部５１２と称し、第１ヘッダ下空間５１ｃを構成する部分を第１ヘッダ下部５１３と称する。
【００６３】
（３−２−１−１）第１ヘッダ上部５１１
第１ヘッダ上部５１１には、冷媒の流入口又は流出口として機能する上開口Ａ１が形成されている。上開口Ａ１は、第４配管Ｐ４の一端に接続されている。これにより、第１ヘッダ上空間５１ａは第４配管Ｐ４と連通しており、冷房運転時には第１ヘッダ上空間５１ａへ高圧のガス冷媒が流入し、暖房運転時には第１ヘッダ上空間５１ａから低圧の気液二相冷媒が流出するようになっている。すなわち、上開口Ａ１は、冷房運転時には室外熱交換器１３の冷媒流入口として機能し、暖房運転時には室外熱交換器１３の冷媒流出口として機能する。
【００６４】
また、第１ヘッダ上部５１１には第１熱交換領域４１ａに含まれる各伝熱管４５の一端が接続されており、第１ヘッダ上空間５１ａは第１熱交換領域４１ａに含まれる各伝熱管４５の冷媒流路４５１と連通している。これにより、冷房運転時には、第１ヘッダ上空間５１ａに流入した冷媒が、第１熱交換領域４１ａに含まれる各伝熱管４５の冷媒流路４５１に流入するようになっている。一方、暖房運転時には、第１熱交換領域４１ａに含まれる各伝熱管４５の冷媒流路４５１を通過した冷媒が、第１ヘッダ上空間５１ａに流入し、上開口Ａ１を介して第４配管Ｐ４へ流出するようになっている。
【００６５】
換言すると、第１ヘッダ上部５１１には、第４配管Ｐ４及び第１熱交換領域４１ａの各伝熱管４５の一方から流出した冷媒を折り返させて他方に流入させる折返し流路ＲＰ（以下、「第１ヘッダ上側折返し流路ＲＰ１」と称する）が形成されている（図５及び図６参照）。すなわち、第１ヘッダ上部５１１は、第１ヘッダ上側折返し流路ＲＰ１を形成するための「折返し部」に相当する。
【００６６】
（３−２−１−２）第１ヘッダ中部５１２
第１ヘッダ中部５１２には、レシーバ６０の出口管６２を接続するための上連通口Ｈ２が形成されている。これにより、第１ヘッダ中央空間５１ｂは、レシーバ６０内の冷媒貯留空間６０ａ（後述）と連通している。具体的に、上連通口Ｈ２は、冷媒貯留空間６０ａから冷媒を流出させる抜き穴として機能する。
【００６７】
また、第１ヘッダ中部５１２には、その下端近傍において、レシーバ６０の入口管６１を接続するための下連通口Ｈ１が形成されている。これにより、第１ヘッダ中央空間５１ｂは、レシーバ６０内の冷媒貯留空間６０ａと連通している。具体的に、下連通口Ｈ１は、第１ヘッダ中央空間５１ｂに溜まった液冷媒を冷媒貯留空間６０ａへ流入させる流入口として機能する。下連通口Ｈ１は、第１ヘッダ集合管５１の下端近傍において下開口Ａ２の上方に位置している。
【００６８】
また、第１ヘッダ中部５１２には第２熱交換領域４１ｂ及び第３熱交換領域４１ｃに含まれる各伝熱管４５の一端が接続されており、第１ヘッダ中央空間５１ｂは第２熱交換領域４１ｂ及び第３熱交換領域４１ｃに含まれる各伝熱管４５の冷媒流路４５１と連通している。これにより、冷房運転時には、第２熱交換領域４１ｂに含まれる各伝熱管４５の冷媒流路４５１を通過した冷媒が、第１ヘッダ中央空間５１ｂに流入するとともに折り返して、第３熱交換領域４１ｃに含まれる各伝熱管４５の冷媒流路４５１に流入するようになっている。一方、暖房運転時には、第３熱交換領域４１ｃに含まれる各伝熱管４５の冷媒流路４５１を通過した冷媒が、第１ヘッダ中央空間５１ｂに流入するとともに折り返して、第２熱交換領域４１ｂに含まれる各伝熱管４５の冷媒流路４５１に流入するようになっている。
【００６９】
換言すると、第１ヘッダ中央空間５１ｂには、第２熱交換領域４１ｂ及び第３熱交換領域４１ｃの一方の各伝熱管４５から流出した冷媒を折り返させて他方の伝熱管４５に流入させる折返し流路ＲＰ（以下、「第１ヘッダ中央折返し流路ＲＰ２」と称する）が形成されている（図５及び図６参照）。すなわち、第１ヘッダ中部５１２は、第１ヘッダ中央折返し流路ＲＰ２を形成する「折返し部」に相当する。
【００７０】
特に、冷房運転時には、第１ヘッダ中央折返し流路ＲＰ２は、第１熱交換領域４１ａ及び第２熱交換領域４１ｂにおいて構成される冷媒流路を通過した冷媒（すなわち、熱交換部４０の全ての伝熱管４５で構成される冷媒流路の容積の５０％以上を流れた冷媒）を折り返す「下流側折返し流路」に相当し、第１ヘッダ中部５１２は、「下流側折返し流路」を形成する「下流側折返し部」に相当する。
【００７１】
（３−２−１−３）第１ヘッダ下部５１３
第１ヘッダ下部５１３には第４熱交換領域４１ｄに含まれる各伝熱管４５の一端が接続されており、第１ヘッダ下空間５１ｃは第４熱交換領域４１ｄに含まれる各伝熱管４５の冷媒流路４５１と連通している。これにより、冷房運転時には、第４熱交換領域４１ｄに含まれる各伝熱管４５の冷媒流路４５１を通過した冷媒が、第１ヘッダ下空間５１ｃに流入するようになっている。一方、暖房運転時には、第１ヘッダ下空間５１ｃに流入した冷媒が、第４熱交換領域４１ｄに含まれる各伝熱管４５の冷媒流路４５１に流入するようになっている。
【００７２】
また、第１ヘッダ下部５１３は、その下端近傍において、冷媒の流出口又は流入口として機能する下開口Ａ２が形成されている。下開口Ａ２は、第５配管Ｐ５の一端に接続されている。これにより、第１ヘッダ下空間５１ｃは第５配管Ｐ５と連通しており、冷房運転時には第１ヘッダ下空間５１ｃから第５配管Ｐ５へ高圧の液冷媒が流出し、暖房運転時には第５配管Ｐ５から第１ヘッダ下空間５１ｃへ低圧の気液二相冷媒が流入するようになっている。すなわち、下開口Ａ２は、冷房運転時には室外熱交換器１３の冷媒流出口として機能し、暖房運転時には室外熱交換器１３の冷媒流入口として機能する。
【００７３】
換言すると、第１ヘッダ下空間５１ｃには、第４熱交換領域４１ｄの伝熱管４５及び第５配管Ｐ５の一方から流出した冷媒を折り返させて他方に流入させる折返し流路ＲＰ（以下、「第１ヘッダ下側折返し流路ＲＰ３」と称する）が形成されている（図５及び図６参照）。すなわち、第１ヘッダ下部５１３は、第１ヘッダ下側折返し流路ＲＰ３を形成するための「折返し部」に相当する。
【００７４】
特に、冷房運転時には、第１ヘッダ下側折返し流路ＲＰ３は、全ての熱交換領域４１において構成される冷媒流路を通過した冷媒（すなわち、熱交換部４０の全ての伝熱管４５で構成される冷媒流路の容積の５０％以上（より詳細には１００％）を流れた冷媒）を折り返す「下流側折返し流路」に相当し、第１ヘッダ下部５１３は、「下流側折返し流路」を形成する「下流側折返し部」に相当する。
【００７５】
（３−２−２）第２ヘッダ集合管５５
第２ヘッダ集合管５５は熱交換部４０の伝熱管延伸方向（ｘ方向）の他端に配置され、各伝熱管４５の他端に接続されている。第２ヘッダ集合管５５内には中央仕切板５６が上下に配置されており、第２ヘッダ集合管５５内の空間が２つの空間（具体的には第２ヘッダ上空間５５ａ及び第２ヘッダ下空間５５ｂ）に分割されている。本実施形態において、中央仕切板５６は、二点鎖線Ｌ２（図２）と重畳するように配置され、第２ヘッダ上空間５５ａと第２ヘッダ下空間５５ｂとを上下に仕切っている。
【００７６】
以下の説明においては、第２ヘッダ集合管５５のうち、第２ヘッダ上空間５５ａを構成する部分を第２ヘッダ上部５５１と称し、第２ヘッダ下空間５５ｂを構成する部分を第２ヘッダ下部５５２と称する。
【００７７】
（３−２−２−１）第２ヘッダ上部５５１
第２ヘッダ上部５５１には第１熱交換領域４１ａ及び第２熱交換領域４１ｂに含まれる各伝熱管４５の他端が接続されており、第２ヘッダ上空間５５ａは第１熱交換領域４１ａ及び第２熱交換領域４１ｂに含まれる各伝熱管４５の冷媒流路４５１と連通している。
【００７８】
これにより、冷房運転時には、第１熱交換領域４１ａに含まれる各伝熱管４５の冷媒流路４５１を通過した冷媒が、第２ヘッダ上空間５５ａに流入するとともに折り返して、第２熱交換領域４１ｂに含まれる各伝熱管４５の冷媒流路４５１に流入するようになっている。一方、暖房運転時には、第２熱交換領域４１ｂに含まれる各伝熱管４５の冷媒流路４５１を通過した冷媒が、第２ヘッダ上空間５５ａに流入するとともに折り返して、第１熱交換領域４１ａに含まれる各伝熱管４５の冷媒流路４５１に流入するようになっている。
【００７９】
換言すると、第２ヘッダ上空間５５ａには、第１熱交換領域４１ａ及び第２熱交換領域４１ｂの一方の各伝熱管４５から流出した冷媒を折り返させて他方の伝熱管４５に流入させる折返し流路ＲＰ（以下、「第２ヘッダ上側折返し流路ＲＰ４」と称する）が形成されている（図５及び図６参照）。すなわち、第２ヘッダ上部５５１は、第２ヘッダ上側折返し流路ＲＰ４を形成する「折返し部」に相当する。
【００８０】
（３−２−２−２）第２ヘッダ下部５５２
第２ヘッダ下部５５２には第３熱交換領域４１ｃ及び第４熱交換領域４１ｄに含まれる各伝熱管４５の他端が接続されており、第２ヘッダ下空間５５ｂは第３熱交換領域４１ｃ及び第４熱交換領域４１ｄに含まれる各伝熱管４５の冷媒流路４５１と連通している。
【００８１】
これにより、冷房運転時には、第３熱交換領域４１ｃに含まれる各伝熱管４５の冷媒流路４５１を通過した冷媒が、第２ヘッダ下空間５５ｂに流入するとともに折り返して、第４熱交換領域４１ｄに含まれる各伝熱管４５の冷媒流路４５１に流入するようになっている。一方、暖房運転時には、第４熱交換領域４１ｄに含まれる各伝熱管４５の冷媒流路４５１を通過した冷媒が、第２ヘッダ下空間５５ｂに流入するとともに折り返して、第３熱交換領域４１ｃに含まれる各伝熱管４５の冷媒流路４５１に流入するようになっている。
【００８２】
換言すると、第２ヘッダ下空間５５ｂには、第３熱交換領域４１ｃ及び第４熱交換領域４１ｄの一方の各伝熱管４５から流出した冷媒を折り返させて他方の伝熱管４５に流入させる折返し流路ＲＰ（以下、「第２ヘッダ下側折返し流路ＲＰ５」と称する）が形成されている（図５及び図６参照）。すなわち、第２ヘッダ下部５５２は、第２ヘッダ下側折返し流路ＲＰ５を形成するための「折返し部」に相当する。
【００８３】
特に、冷房運転時には、第２ヘッダ下側折返し流路ＲＰ５は、第３熱交換領域４１ｃ及び第４熱交換領域４１ｄにおいて構成される冷媒流路を通過した冷媒（すなわち、熱交換部４０の全ての伝熱管４５で構成される冷媒流路の容積の５０％以上を流れた冷媒）を折り返す「下流側折返し流路」に相当し、第２ヘッダ下部５５２は、「下流側折返し流路」を形成する「下流側折返し部」に相当する。
【００８４】
（３−３）レシーバ６０（液溜め部）
レシーバ６０は、伝熱管４５の冷媒流路４５１を通過する際に凝縮した液冷媒の一部を一時的に溜める容器である。レシーバ６０内には、冷媒を貯留するための冷媒貯留空間６０ａが形成されている。冷媒貯留空間６０ａの容量は、冷媒回路ＲＣに封入される冷媒充填量に応じて適宜選択される。レシーバ６０は、入口管６１と、出口管６２と、を含んでいる。
【００８５】
入口管６１は、第１ヘッダ中央空間５１ｂから冷媒貯留空間６０ａへ冷媒を流入させる配管である。入口管６１は、下連通口Ｈ１を介して第１ヘッダ中部５１２に接続されている。入口管６１内には、冷媒貯留空間６０ａと第１ヘッダ中央空間５１ｂとを連通する連通空間ＣＰ１が形成されている。すなわち、入口管６１は、第１ヘッダ集合管５１の下端近傍部分において、冷媒貯留空間６０ａと第１ヘッダ中央空間５１ｂとを連通する「連通空間」を形成している。
【００８６】
出口管６２は、冷媒貯留空間６０ａから第１ヘッダ中央空間５１ｂへ冷媒を流出させる配管である。出口管６２は、上連通口Ｈ２を介して第１ヘッダ中部５１２に接続されており、冷媒貯留空間６０ａと第１ヘッダ中央空間５１ｂとを連通している。出口管６２内には、冷媒貯留空間６０ａと第１ヘッダ中央空間５１ｂとを連通する連通空間ＣＰ２が形成されている。すなわち、出口管６２は、第１ヘッダ集合管５１において、冷媒貯留空間６０ａと第１ヘッダ中央空間５１ｂとを連通する「連通空間」を形成している。
【００８７】
（４）室外熱交換器１３における冷媒の流れ
室外熱交換器１３においては、運転状況に応じて以下のように冷媒が流れる。なお、運転時においては、圧縮機１１の回転数、室外ファン１７の回転数、及び各膨張弁１６の開度等に応じて、室外熱交換器１３を流れる冷媒が高循環量になる場合と、低循環量になる場合がある。
【００８８】
また、冷房運転時及び暖房運転時において、第１ヘッダ中央空間５１ｂに流入した冷媒の一部は、状況（具体的には第１ヘッダ集合管５１内の液冷媒の量の大きさ）に応じて、下連通口Ｈ１を介してレシーバ６０（冷媒貯留空間６０ａ）へ流出する。すなわち、第１ヘッダ集合管５１内の液冷媒の液面の高さが下連通口Ｈ１に到達している時には、第１ヘッダ中央空間５１ｂにおいて下連通口Ｈ１の高さ位置以上に位置する冷媒が、下連通口Ｈ１及び入口管６１（連通空間ＣＰ１）を介して冷媒貯留空間６０ａへと流入するようになっている。
【００８９】
レシーバ６０に流入した液冷媒は、冷媒貯留空間６０ａにおいて一時的に貯留され気液分離される。冷媒貯留空間６０ａのガス冷媒は、出口管６２（連通空間ＣＰ２）及び上連通口Ｈ２を介して、第１ヘッダ中央空間５１ｂに戻される。
【００９０】
（４−１）冷房運転時
図５は、冷房運転時の室外熱交換器１３における冷媒の流れを概略的に示した模式図である。図５において、破線矢印は冷媒の流れ方向を示しており、１点鎖線矢印は各ヘッダ集合管５０において構成される冷媒流路（折返し流路ＲＰ）を示している。
【００９１】
冷房運転時には、第４配管Ｐ４を通過した高圧のガス冷媒が、第１ヘッダ上空間５１ａへ流入する。第１ヘッダ上空間５１ａに流入した冷媒は、第１ヘッダ上側折返し流路ＲＰ１に沿って流れ、第１熱交換領域４１ａに含まれる各伝熱管４５の冷媒流路４５１に流入し、第１熱交換領域４１ａを通過する際に空気流ＡＦと熱交換を行う。第１熱交換領域４１ａに含まれる各伝熱管４５の冷媒流路４５１を通過した冷媒は、第２ヘッダ上空間５５ａに流入する。
【００９２】
第２ヘッダ上空間５５ａに流入した冷媒は、第２ヘッダ上側折返し流路ＲＰ４に沿って流れ、流れ方向を折り返して第２熱交換領域４１ｂに含まれる各伝熱管４５の冷媒流路４５１に流入し、第２熱交換領域４１ｂを通過する際に空気流ＡＦと熱交換を行う。第２熱交換領域４１ｂに含まれる各伝熱管４５の冷媒流路４５１を通過した冷媒は、第１ヘッダ中央空間５１ｂに流入する。
【００９３】
第１ヘッダ中央空間５１ｂに流入した冷媒は、第１ヘッダ中央折返し流路ＲＰ２に沿って流れ、流れ方向流れを折り返して第３熱交換領域４１ｃに含まれる各伝熱管４５の冷媒流路４５１に流入し、第３熱交換領域４１ｃを通過する際に空気流ＡＦと熱交換を行う。第３熱交換領域４１ｃに含まれる各伝熱管４５の冷媒流路４５１を通過した冷媒は、第２ヘッダ下空間５５ｂに流入する。
【００９４】
第２ヘッダ下空間５５ｂに流入した冷媒は、第２ヘッダ下側折返し流路ＲＰ５に沿って流れ、流れ方向を折り返して第４熱交換領域４１ｄに含まれる各伝熱管４５の冷媒流路４５１に流入し、第４熱交換領域４１ｄを通過する際に空気流ＡＦと熱交換を行う。第４熱交換領域４１ｄに含まれる各伝熱管４５の冷媒流路４５１を通過した冷媒は、第１ヘッダ下空間５１ｃに流入する。
【００９５】
第１ヘッダ下空間５１ｃに流入した冷媒は、主として、第１ヘッダ下側折返し流路ＲＰ３に沿って流れ、下開口Ａ２を介して第５配管Ｐ５へ流出する。
【００９６】
このような態様で冷媒が流れる冷房運転時には、室外熱交換器１３を流れる冷媒は、主として、第１熱交換領域４１ａ及び第２熱交換領域４１ｂを流れる際に、凝縮して気液二相冷媒となる。また、冷房運転時に室外熱交換器１３を流れる冷媒は、主として、第３熱交換領域４１ｃ及び第４熱交換領域４１ｄを流れる際に、過冷却されて過冷却度のついた液冷媒となる。すなわち、冷房運転時には、熱交換部４０のうち、第１熱交換領域４１ａ及び第２熱交換領域４１ｂがメインの熱交換領域４１であり、第３熱交換領域４１ｃ及び第４熱交換領域４１ｄがサブの熱交換領域４１である。
【００９７】
（４−２）暖房運転時
図６は、暖房運転時の室外熱交換器１３における冷媒の流れを概略的に示した模式図である。図６において、破線矢印は冷媒の流れ方向を示しており、１点鎖線矢印は各ヘッダ集合管５０において構成される冷媒流路（折返し流路ＲＰ）を示している。
【００９８】
暖房運転時には、第５配管Ｐ５を通過した低圧の液冷媒が、第１ヘッダ下空間５１ｃへ流入する。第１ヘッダ下空間５１ｃに流入した冷媒は、主として、第１ヘッダ下側折返し流路ＲＰ３に沿って流れ、第４熱交換領域４１ｄに含まれる各伝熱管４５の冷媒流路４５１に流入する。第４熱交換領域４１ｄに含まれる各伝熱管４５の冷媒流路４５１に流入した冷媒は、第４熱交換領域４１ｄを通過する際に空気流ＡＦと熱交換を行う。第１熱交換領域４１ａに含まれる各伝熱管４５の冷媒流路４５１を通過した冷媒は、第２ヘッダ下空間５５ｂに流入する。
【００９９】
第２ヘッダ下空間５５ｂに流入した冷媒は、第２ヘッダ下側折返し流路ＲＰ５に沿って流れ、流れ方向を折り返して流れを折り返して第３熱交換領域４１ｃに含まれる各伝熱管４５の冷媒流路４５１に流入し、第３熱交換領域４１ｃを通過する際に空気流ＡＦと熱交換を行う。第３熱交換領域４１ｃに含まれる各伝熱管４５の冷媒流路４５１を通過した冷媒は、第１ヘッダ中央空間５１ｂに流入する。
【０１００】
第１ヘッダ中央空間５１ｂに流入した冷媒は、第１ヘッダ中央折返し流路ＲＰ２に沿って流れ、流れを折り返して第２熱交換領域４１ｂに含まれる各伝熱管４５の冷媒流路４５１に流入し、第２熱交換領域４１ｂを通過する際に空気流ＡＦと熱交換を行う。第２熱交換領域４１ｂに含まれる各伝熱管４５の冷媒流路４５１を通過した冷媒は、第２ヘッダ上空間５５ａに流入する。
【０１０１】
第２ヘッダ上空間５５ａに流入した冷媒は、第２ヘッダ上側折返し流路ＲＰ４に沿って流れ、流れを折り返して第１熱交換領域４１ａに含まれる各伝熱管４５の冷媒流路４５１に流入し、第１熱交換領域４１ａを通過する際に空気流ＡＦと熱交換を行う。第１熱交換領域４１ａに含まれる各伝熱管４５の冷媒流路４５１を通過した冷媒は、第１ヘッダ上空間５１ａに流入する。
【０１０２】
第１ヘッダ上空間５１ａに流入した冷媒は、第１ヘッダ上側折返し流路ＲＰ１に沿って流れ、上開口Ａ１を介して第４配管Ｐ４へ流出する。
【０１０３】
（５）室外熱交換器１３の特徴
（５−１）
室外熱交換器１３では、冷媒がレシーバ６０に流入する際の騒音が抑制されている。
【０１０４】
従来、冷媒系統に充填されている冷媒量に関連して運転状況に応じて冷媒を貯留するレシーバを配置された熱交換器では、一の扁平管を通過してヘッダ内に流入した冷媒が折り返して他の扁平管に流入する際に必ずレシーバを通過する構造となっていた。
【０１０５】
つまり、図７に示すような従来の熱交換器１３０では、室外熱交換器１３の第１ヘッダ中央空間５１ｂに相当する空間を仕切板５４によって第１ヘッダ中央上空間５１ｂ１と第１ヘッダ中央下空間５１ｂ２とに仕切られた第１ヘッダ５１０を有している。そのうえで、第１ヘッダ中央上空間５１ｂ１とレシーバ６００の冷媒貯留空間６００ａとが上連通管６３を介して連通し、第１ヘッダ中央下空間５１ｂ２とレシーバ６００の冷媒貯留空間６００ａとが下連通管６４を介して連通している。このため、冷房運転時には、第２熱交換領域４１ｂに含まれる伝熱管４５を流れて第１ヘッダ中央上空間５１ｂ１に流入した冷媒が、必ず、レシーバ６００の冷媒貯留空間６００ａに上連通管６３を介して流入し、冷媒貯留空間６００ａから下連通管６４を介して第１ヘッダ中央下空間５１ｂ２へ流入するようになっている。
【０１０６】
特に、このような従来の熱交換器１３０によると、冷媒が、熱交換部４０全体において各伝熱管４５によって形成される冷媒流路の流路容積の５０％以上を通過する前に、冷媒貯留空間６００ａに流入することとなる。その結果、冷媒は、流速が大きい状態で、上連通管６３を介して冷媒貯留空間６００ａに流入しやすい。このため、流速の大きい冷媒がレシーバ６００に流入する際の騒音が懸念される。
【０１０７】
この点、室外熱交換器１３では、従来の熱交換器１３０とは異なり、第１ヘッダ中央空間５１ｂを上下に仕切る仕切板５４に相当する構成が省略されるとともに、上連通管６３が冷媒貯留空間６０ａから冷媒を戻す出口管６２として機能し、下連通管６４が冷媒貯留空間６０ａへ冷媒を流入させる入口管６１として機能している。すなわち、室外熱交換器１３では、熱交換部４０全体において各伝熱管４５によって形成される冷媒流路の流路容積の５０％以上を流れた冷媒を折り返す下流側折返し流路ＲＰ（ＲＰ２、ＲＰ３、ＲＰ５）に液冷媒が溜まった時に、冷媒貯留空間６０ａに液冷媒が流入するように下流側折返し流路ＲＰ（ここでは第１ヘッダ中央折返し流路ＲＰ２）と連通している。
【０１０８】
このように、室外熱交換器１３は、冷媒が２回以上折り返して流れる冷媒流路において、後半の冷媒流路がレシーバ６０内の冷媒貯留空間６０ａと連通するように構成されている。その結果、折返し部（第１ヘッダ集合管５１）に流入した冷媒が必ずしもレシーバ６０内の冷媒貯留空間６０ａに流入しないようになっている。つまり、室外熱交換器１３は、通常時には一の伝熱管４５を通過した冷媒に関し、レシーバ６０に流入させることなく他の伝熱管４５に流入させる（つまりレシーバ６０をバイパスさせる）一方で、下流側折返し流路ＲＰにおいて液冷媒が溜まった時には当該液冷媒を冷媒貯留空間６０ａへ流入させるように構成されている。
【０１０９】
その結果、室外熱交換器１３では、一の伝熱管４５を通過して折返し流路ＲＰに流入した冷媒は、通常、レシーバ６０に流入することなく冷媒流れ下流側に位置する他の伝熱管４５へと流入するようになっている。このため、流速の大きい冷媒がレシーバ６０へ流入することが抑制されている。よって、冷媒がレシーバ６０に流入する際の騒音が抑制されている。
【０１１０】
また、室外熱交換器１３では、レシーバ６０に流入する冷媒は、冷媒が２回以上折り返して流れる室外熱交換器１３の熱交換部４０において各伝熱管４５によって形成される冷媒流路の流路容積の５０％以上を流れた後に、レシーバ６０に流入するようになっている。その結果、特に冷房運転時には、熱交換部４０において凝縮した冷媒を主として、レシーバ６０に流入させられるようになっている。よって、室外熱交換器１３の性能低下についても抑制されている。
【０１１１】
（５−２）
室外熱交換器１３では、冷媒貯留空間６０ａは、「下流側折返し部」（第１ヘッダ中部５１２）の下端近傍部分において、下流側折返し流路ＲＰ（ここでは第１ヘッダ中央折返し流路ＲＰ２）と連通している。
【０１１２】
これにより、室外熱交換器１３における冷媒の流出口（下開口Ａ２）近傍において折返し流路ＲＰとレシーバ６０の冷媒貯留空間６０ａとを連通させられるようになっている。その結果、冷媒が熱交換部４０において十分に凝縮した後に、冷媒をレシーバ６０に流入させられるようになっている。このため、流速の大きい冷媒がレシーバ６０に流入することで生じる騒音が特に抑制されている。
【０１１３】
また、室外熱交換器１３では、熱交換部４０において十分に凝縮した冷媒を主として、レシーバ６０に流入させられるようになっている。よって、室外熱交換器１３の性能低下についても特に抑制されている。
【０１１４】
（５−３）
室外熱交換器１３では、冷媒貯留空間６０ａは、複数の連通空間（ＣＰ１、ＣＰ２）を介して下流側折返し流路ＲＰ（ここでは第１ヘッダ中央折返し流路ＲＰ２）と連通している。
【０１１５】
すなわち、室外熱交換器１３では、レシーバ６０において、冷媒を流入させる流入口（下連通口Ｈ１）とは別に、冷媒を排出させるための抜き穴（上連通口Ｈ２）が形成されている。その結果、レシーバ６０への冷媒の流入、及びレシーバ６０からの冷媒若しくは冷凍機油の流出が円滑に行われるようになっている。よって、室外熱交換器１３の性能低下がさらに抑制されている。また、これに関連して、圧縮機１１において、液冷媒が流入し圧縮される液バック現象が抑制され、潤滑性低下が抑制され、冷媒が過度に高圧となることも抑制される。すなわち、圧縮機１１の信頼性低下も抑制されている。
【０１１６】
（６）変形例
上記実施形態は、以下の変形例に示すように適宜変形が可能である。なお、各変形例は、矛盾が生じない範囲で他の変形例と組み合わせて適用されてもよい。
【０１１７】
（６−１）変形例Ａ
上記実施形態では、レシーバ６０は、冷媒貯留空間６０ａと第１ヘッダ集合管５１内の空間とが配管を介して連通するように、第１ヘッダ集合管５１に隣接して配置されていた。しかし、レシーバ６０は必ずしも係る態様で配置される必要はなく、レシーバ６０の配置態様については適宜変更が可能である。
【０１１８】
例えば、レシーバ６０は、図８に示す室外熱交換器１３ａのように、冷媒貯留空間６０ａと第２ヘッダ集合管５５内の空間（第２ヘッダ下空間５５ｂ）とが配管（入口管６１´及び出口管６２´）を介して連通するように、第２ヘッダ集合管５５に隣接して配置されてもよい。
【０１１９】
図８においては、第２ヘッダ下部５５２には、その下端近傍（具体的には、第３熱交換領域４１ｃに対応する高さ位置）において、レシーバ６０´の入口管６１´を接続するための下連通口Ｈ１´が形成されている。下連通口Ｈ１´は、第２ヘッダ下空間５５ｂに溜まった液冷媒を冷媒貯留空間６０ａ´へ流入させる流入口として機能する。
【０１２０】
また、第２ヘッダ下部５５２には、下連通口Ｈ１´の上方において（具体的には、第２熱交換領域４１ｂに対応する高さ位置）にレシーバ６０´の出口管６２´を接続するための上連通口Ｈ２´が形成されている。上連通口Ｈ２´は、冷媒貯留空間６０ａ´から冷媒を流出させる抜き穴として機能する。
【０１２１】
このような室外熱交換器１３ａにおいても、上記（５−１）乃至（５−３）で述べた室外熱交換器１３の特徴と略同一の特徴を有し、略同一の作用効果を奏する。
【０１２２】
なお、室外熱交換器１３ａでは、レシーバ６０´とともに、第１ヘッダ集合管５１´に連通するレシーバ６０が室外熱交換器１３における配置態様と同様の態様で配置されてもよい。
【０１２３】
（６−２）変形例Ｂ
上記実施形態では、熱交換部４０は、流入口から流入した冷媒が２回折り返して流れた後に流出口から流出するように冷媒流路が構成されていた。しかし、熱交換部４０は、流入口から流入した冷媒が３回以上折り返して流れた後に流出口から流出するように冷媒流路が構成されてもよい。
【０１２４】
係る場合にも、一の伝熱管４５を通過して折返し流路ＲＰに流入した冷媒は、通常、レシーバ６０に流入することなく冷媒流れ下流側に位置する他の伝熱管４５へと流入させることが可能であり、流速の大きい冷媒がレシーバ６０へ流入することを抑制可能である。
【０１２５】
また、係る場合にも、レシーバ６０に流入する冷媒は、冷媒が３回以上折り返して流れる室外熱交換器１３の熱交換部４０において各伝熱管４５によって形成される冷媒流路の流路容積の５０％以上を流れた後にレシーバ６０に流入させることが可能である。その結果、特に冷房運転時には、熱交換部４０において凝縮した冷媒を主として、レシーバ６０に流入させられる。よって、室外熱交換器１３の性能低下を特に抑制可能である。
【０１２６】
（６−３）変形例Ｃ
上記実施形態では、室外熱交換器１３は、ヘッダ集合管５０として第１ヘッダ集合管５１と第２ヘッダ集合管５５とを有していた。しかし、レシーバ６０と連通していないヘッダ集合管５０（上記実施形態では第２ヘッダ集合管５５）については必ずしも必要ではなく、適宜省略が可能である。
【０１２７】
係る場合、例えば、伝熱管延伸方向（ｘ方向）に沿って延びる伝熱管４５が空気流れ方向（ｚ方向）に沿って２列以上に並び、空気流れ方向に沿って２列以上に並べられた一組の伝熱管４５が伝熱管積層方向に沿って複数並ぶように、室外熱交換器１３が構成されればよい。そして、各伝熱管４５が第１ヘッダ集合管５１と接続される一端から伝熱管延伸方向に沿って延びた後、同一の高さ位置で折り返して再び伝熱管延伸方向を反対側に延びて他端において第１ヘッダ集合管５１に接続されるように、室外熱交換器１３が構成されればよい。すなわち、各熱交換領域４１において、伝熱管４５が複数列多段構成に並べられるように、室外熱交換器１３が構成されてもよい。
【０１２８】
このような態様で室外熱交換器１３を構成した場合であっても、熱交換部４０において各伝熱管４５によって形成される冷媒流路の流路容積の５０％以上を流れた冷媒を折り返す下流側折返し流路ＲＰに液冷媒が溜まった時に、冷媒貯留空間６０ａに液冷媒が流入するように下流側折返し流路ＲＰと連通するように室外熱交換器１３を構成することが可能である。また、レシーバ６０に流入する冷媒が、冷媒が２回以上折り返して流れる熱交換部４０において各伝熱管４５によって形成される冷媒流路の流路容積の５０％以上を流れた後にレシーバ６０に流入するように、室外熱交換器１３を構成することも可能である。よって、上記実施形態と同様の作用効果を実現しうる。
【０１２９】
（６−４）変形例Ｄ
上記実施形態では、冷媒貯留空間６０ａは、下流側折返し部（具体的には第１ヘッダ中部５１２）の下端近傍部分において、下流側折返し流路ＲＰ（具体的には第１ヘッダ中央折返し流路ＲＰ２）と連通していた。
【０１３０】
この点、室外熱交換器１３における冷媒の流出口（下開口Ａ２）近傍において折返し流路ＲＰとレシーバ６０の冷媒貯留空間６０ａとを連通させるという観点によれば、下流側折返し部（第１ヘッダ中部５１２）の下端近傍部分において、冷媒貯留空間６０ａと第１ヘッダ下側折返し流路ＲＰ３を連通させることが好ましい。
【０１３１】
しかし、通常時には一の伝熱管４５を通過した冷媒に関しレシーバ６０に流入させることなく他の伝熱管４５に流入させる（つまりレシーバ６０をバイパスさせる）一方で、下流側折返し流路ＲＰにおいて液冷媒が溜まった時には当該液冷媒を冷媒貯留空間６０ａへ流入させるように室外熱交換器１３を構成する、という観点によれば、冷媒貯留空間６０ａは、必ずしも下流側折返し部（第１ヘッダ中部５１２）の下端近傍部分において第１ヘッダ下側折返し流路ＲＰ３と連通している必要はない。すなわち、冷媒貯留空間６０ａは、下流側折返し部（第１ヘッダ中部５１２）の中央部分又は上端近傍部分において、下流側折返し流路ＲＰ（第１ヘッダ中央折返し流路ＲＰ２）と連通していてもよい。
【０１３２】
（６−５）変形例Ｅ
上記実施形態では、冷媒貯留空間６０ａは、複数の連通空間（ＣＰ１、ＣＰ２）を介して下流側折返し流路ＲＰ（具体的には第１ヘッダ中央折返し流路ＲＰ２）と連通していた。この点、レシーバ６０において、冷媒を流入させる流入口（下連通口Ｈ１）とは別に、冷媒を排出させるための抜き穴（上連通口Ｈ２）を形成する、という観点によれば、係る態様で冷媒貯留空間６０ａが下流側折返し流路ＲＰと連通していることが好ましい。
【０１３３】
しかし、通常時には一の伝熱管４５を通過した冷媒に関しレシーバ６０に流入させることなく他の伝熱管４５に流入させる（つまりレシーバ６０をバイパスさせる）一方で、下流側折返し流路ＲＰにおいて液冷媒が溜まった時には当該液冷媒を冷媒貯留空間６０ａへ流入させるように室外熱交換器１３を構成する、という観点によれば、冷媒貯留空間６０ａは、必ずしも複数の連通空間（ＣＰ１、ＣＰ２）を介して下流側折返し流路ＲＰと連通している必要はない。すなわち、冷媒貯留空間６０ａは、単一の連通空間（ＣＰ１）を介して下流側折返し流路ＲＰ（例えば第１ヘッダ中央折返し流路ＲＰ２）と連通するように構成されてもよい。
【０１３４】
（６−６）変形例Ｆ
上記実施形態では、室外熱交換器１３は、レシーバ６０の入口管６１が第１ヘッダ中部５１２と接続されることで、状況に応じて第１ヘッダ下空間５１ｃから冷媒貯留空間６０ａへ液冷媒が流入するように構成されていた。しかし、室外熱交換器１３は、レシーバ６０の入口管６１が第１ヘッダ下部５１３とは異なる下流側折返し部に接続され、状況に応じて第１ヘッダ中央空間５１ｂとは異なる空間から冷媒貯留空間６０ａへ液冷媒が流入するように構成されてもよい。
【０１３５】
例えば、室外熱交換器１３は、レシーバ６０の入口管６１が第１ヘッダ下部５１３又は第２ヘッダ下部５５２と接続されることで、状況に応じて第１ヘッダ下空間５１ｃ又は第２ヘッダ下空間５５ｂから冷媒貯留空間６０ａへ液冷媒が流入するように構成されてもよい。係る場合にも上記（５−１）乃至（５−３）で記載した作用効果と略同一の作用効果を実現しうる。
【０１３６】
（６−７）変形例Ｇ
上記実施形態では、室外熱交換器１３は、レシーバ６０の出口管６２が第１ヘッダ中部５１２と接続されることで、状況に応じて冷媒貯留空間６０ａから第１ヘッダ中央空間５１ｂへ液冷媒が流出するように構成されていた。しかし、室外熱交換器１３は、レシーバ６０の出口管６２が第１ヘッダ中部５１２とは異なる「折返し部」（５１１、５１３、５５１、又は５５２）に接続され、状況に応じて冷媒貯留空間６０ａから第１ヘッダ中央空間５１ｂとは異なる空間（５１ａ、５１ｃ、５５ａ又は５５ｂ）へ液冷媒が流出するように構成されてもよい。係る場合にも上記（５−１）乃至（５−３）で記載した作用効果と略同様の作用効果を実現しうる。
【０１３７】
（６−８）変形例Ｈ
上記実施形態では、熱交換部４０において、第１熱交換領域４１ａにおいて７本の伝熱管４５含まれ、第２熱交換領域４１ｂにおいて５本の伝熱管４５が含まれ、第３熱交換領域４１ｃにおいて４本の伝熱管４５が含まれ、第４熱交換領域４１ｄにおいて２本の伝熱管４５が含まれるように、１８本の伝熱管４５が伝熱管積層方向（ｙ方向）に沿って並べられていた。しかし、熱交換部４０及び各熱交換領域４１に含まれる伝熱管４５の列や本数については、設計仕様や設置環境に応じて適宜変更が可能である。
【０１３８】
すなわち、第１熱交換領域４１ａにおいて８本以上又は６本以下の伝熱管４５が含まれるように、室外熱交換器１３を構成してもよい。また、第２熱交換領域４１ｂにおいて６本以上又は４本以下の伝熱管４５が含まれるように、室外熱交換器１３を構成してもよい。また、第３熱交換領域４１ｃにおいて、５本以上又は３本以下の伝熱管４５が含まれるように、室外熱交換器１３を構成してもよい。また、第４熱交換領域４１ｄにおいて、３本以上又は１本の伝熱管４５が含まれるように、室外熱交換器１３を構成してもよい。また、熱交換部４０全体に含まれる伝熱管４５の数は、１９本以上又は１７本以下であってもよい。
【０１３９】
（６−９）変形例Ｉ
上記実施形態では、熱交換部４０が４つの熱交換領域４１を含む場合について説明した。しかし、熱交換部４０全体において冷媒が２回以上折り返して流れるように冷媒流路が構成される限り、熱交換部４０に含まれる熱交換部４０の数については、特に限定されず、適宜変更が可能である。すなわち、室外熱交換器１３は、熱交換部４０において５つ以上又は３つ以下の熱交換領域４１が含むように構成されてもよい。
【０１４０】
（６−１０）変形例Ｊ
上記実施形態では、伝熱管延伸方向がｘ方向に対応し、伝熱管積層方向がｙ方向に対応し、空気流れ方向がｚ方向に対応するように、室外熱交換器１３が構成されていた。しかし、各方向の対応関係については、設計仕様や設置環境に応じて適宜変更が可能である。
【０１４１】
例えば、伝熱管延伸方向がｙ方向又はｚ方向に対応するように、室外熱交換器１３が構成されてもよい。また、伝熱管積層方向がｘ方向又はｚ方向に対応するように、室外熱交換器１３が構成されてもよい。また、空気流れ方向がｘ方向又はｙ方向に対応するように、室外熱交換器１３が構成されてもよい。
【０１４２】
（６−１１）変形例Ｋ
上記実施形態では、伝熱管４５は、内部に複数の冷媒流路４５１を形成された扁平多穴管であった。しかし、伝熱管４５の構成態様については適宜変更が可能である。例えば、内部に１つの冷媒流路４５１が形成された扁平管を伝熱管４５として採用してもよい。
【０１４３】
（６−１２）変形例Ｌ
上記実施形態では、室外熱交換器１３（特に熱交換部４０）の形状については特に言及していなかったが、室外熱交換器１３の形状については、設計仕様や設置環境に応じて適宜選択されればよい。例えば、室外熱交換器１３（特に熱交換部４０）は、伝熱管積層方向から見て、略Ｉ字状に構成されてもよいし、略Ｌ字状、略Ｖ字状又は多角形状に屈曲した形状に構成されてもよい。
【０１４４】
（６−１３）変形例Ｍ
上記実施形態では、本発明が、空調システム１００の室外ユニット１０内に配置される室外熱交換器１３に適用される例について説明した。しかし、本発明は、室外熱交換器１３以外の熱交換器に適用されてもよい。例えば、本発明は、室内ユニット３０内に配置される室内熱交換器３１に適用されてもよい。係る場合、室内ファン３３によって生成される空気流が上記実施形態における空気流ＡＦに相当する。
【０１４５】
また、本発明は、空調システム（エアコン）以外の他の冷凍装置（例えば冷媒回路及び送風機を含む給湯器、製氷機、冷水機、又は除湿機等）の熱交換器として適用されてもよい。
【０１４６】
（６−１４）変形例Ｎ
上記実施形態では、冷媒回路ＲＣにおいて、各膨張弁１６は室外ユニット１０に配置されていた。しかし、各膨張弁１６は、必ずしも室外ユニット１０に配置される必要はなく、他のユニット内に配置されてもよい。例えば、膨張弁１６は、対応する各室内ユニット３０内に配置されてもよい。また、膨張弁１６は、室外ユニット１０と室内ユニット３０との間に独立して配置される中間ユニット内に配置されてもよい。
【０１４７】
（６−１５）変形例Ｏ
空調システム１００は、複数台の室内ユニット３０を有する、いわゆる室内機マルチタイプの空調システムであった。しかし、これに限定されず、空調システム１００は、１台の室内ユニット３０を有する空調システムであってもよい。
【０１４８】
（６−１６）変形例Ｐ
上記実施形態では、空調システム１００は、室外ユニット１０内に四路切換弁１２を配置され、暖房運転が可能なように構成されていた。しかし、空調システム１００は、必ずしも暖房運転が可能なように構成される必要はなく、四路切換弁１２については適宜省略が可能である。
【産業上の利用可能性】
【０１４９】
本発明は、熱交換器に適用可能である。
【符号の説明】
【０１５０】
１０      ：室外ユニット
１１      ：圧縮機
１３、１３ａ  ：室外熱交換器（熱交換器）
１６      ：膨張弁
１７      ：室外ファン
３０      ：室内ユニット
４０      ：熱交換部（本体部）
４１      ：熱交換領域
４１ａ    ：第１熱交換領域
４１ｂ    ：第２熱交換領域
４１ｃ    ：第３熱交換領域
４１ｄ    ：第４熱交換領域
４５      ：伝熱管（扁平管）
４６      ：伝熱フィン
５０      ：ヘッダ集合管（折返し部）
５１      ：第１ヘッダ集合管（折返し部）
５１ａ    ：第１ヘッダ上空間
５１ｂ    ：第１ヘッダ中央空間
５１ｃ    ：第１ヘッダ下空間
５２      ：上仕切板
５３      ：下仕切板
５５      ：第２ヘッダ集合管（折返し部）
５５ａ    ：第２ヘッダ上空間
５５ｂ    ：第２ヘッダ下空間
５６      ：中央仕切板
６０      ：レシーバ（液溜め部）
６０ａ    ：冷媒貯留空間（貯留空間）
６１      ：入口管
６２      ：出口管
６３      ：上連通管
６４      ：下連通管
１００    ：空調システム
４５１    ：冷媒流路
５１１    ：第１ヘッダ上部（折返し部）
５１２    ：第１ヘッダ中部（折返し部、下流側折返し部）
５１３    ：第１ヘッダ下部（折返し部、下流側折返し部）
５５１    ：第２ヘッダ上部（折返し部）
５５２    ：第２ヘッダ下部（折返し部、下流側折返し部）
Ａ１      ：上開口（流入口／流出口）
Ａ２      ：下開口（流入口／流出口）
ＡＦ      ：空気流
ＣＰ１、ＣＰ２  ：連通空間
Ｈ１      ：下連通口
Ｈ２      ：上連通口
ＲＣ      ：冷媒回路
ＲＰ      ：折返し流路
ＲＰ１    ：第１ヘッダ上側折返し流路
ＲＰ２    ：第１ヘッダ中央折返し流路（下流側折返し流路）
ＲＰ３    ：第１ヘッダ下側折返し流路（下流側折返し流路）
ＲＰ４    ：第２ヘッダ上側折返し流路
ＲＰ５    ：第２ヘッダ下側折返し流路（下流側折返し流路）
【先行技術文献】
【特許文献】
【０１５１】
【特許文献１】特許第３３５５８４４号公報
【図１】
2017219216.tif 000003
【図２】
2017219216.tif 000004
【図３】
2017219216.tif 000005
【図４】
2017219216.tif 000006
【図５】
2017219216.tif 000007
【図６】
2017219216.tif 000008
【図７】
2017219216.tif 000009
【図８】
2017219216.tif 000010